(57)【要約】      （修正有）【課題】農業用ビニールハウスで使用され、重油削減として、廃材や里山の間伐材使用で長時間燃焼が出来る、薪ストーブを提供する。【解決手段】薪ストーブは、初期燃焼による、水蒸気発散と乾燥から炭化燃焼による、長時間の燃焼が出来る、新燃焼室の構造を有し、１次燃焼ストーブ１内に、焚口２があり、その両隣りに、２次燃焼筒の入り口３と、立て置きした薪７があり、２次燃焼筒１３からの、強い吸い込み力で、薪の長時間燃焼が維持されるロケットストーブ１０と結合している。ロケットストーブは、２次燃焼筒の高温度で発生する強力な上昇気流のドラフト効果による強い引き込み力で、常に新鮮な空気が、１次燃焼室に吸い込まれ、長時間燃焼と、クリーンな排気ガスの維持に大きな働きをしている。【選択図】図２
0003216246.tif 000002
【実用新案登録請求の範囲】
【請求項１】
１次燃焼ストーブと、前記１次燃焼ストーブに結合されたロケットストーブとから構成された新ストーブであって、前記１次燃焼ストーブは燃焼室を備え、前記燃焼室には焚口があり、その両側には、２次燃焼筒の入り口と、立て詰めされた薪があり、前記燃焼室の上部には、前記薪を挿入する蓋があり、底面には開閉型の灰の取り出し口と兼用した、初期燃焼時の空気取り入れ口と炭化燃焼用バルブがあり、前記ロケットストーブは初期燃焼時、前記焚口で燃焼された燃焼ガスが流入する、前記２次燃焼筒と、一部の未燃焼ガスが、再燃焼後の出口とを備え、前記焚口が中央に位置することで、この燃焼ガスが前記燃焼室の高温度化による、前記薪の燃焼促進と、前記２次燃焼筒のドラフト効果による、強い吸い込み力の発生を、促進させることを特徴とする新ストーブ。
【考案の詳細な説明】
【技術分野】
【０００１】  本考案は薪ストーブに関するものである。
【背景技術】
【０００２】  薪ストーブは、石油燃料に代わり、長時間燃焼が出来、廃材や里山の間伐材使用の有効活用が必要。
【考案の概要】
【考案が解決しようとする課題】
【０００３】  石油燃料に代わる薪ストーブの課題は、夜間時の長時間燃焼が１５時間以上維持出来る事、又含水率が高い、廃材や里山の間伐材が使用できる事、と更に排気ガスがクリーンである事、等の目標がある、これらを達成する技術的な課題は、長時間燃焼に必要な大容量の薪収容燃焼室、及び含水率の高い木材の水抜き工程、更に長時間燃焼を維持するための、空気の絞り量に対応した、強力な空気の吸い込み力の確保等。多くの課題がある。
【課題を解決するための手段】
【０００４】  １次燃焼ストーブと、ロケットストーブの結合により、上記の課題が解決できる、先ず、１次燃焼ストーブは、木炭の炭焼き工法を参考にして、製作した、このストーブは焚口が燃焼室内にあり、焚口でフル燃焼させ、水蒸気発散、乾燥、薪全体の表面が黒色炭化すると、炭化燃焼用バルブの絞り量を調整して燃焼力を緩めて、長時間燃焼に移行させる、これらの強い燃焼には、ロケットストーブの２次燃焼筒で、発生した強力な上昇気流のドラフト効果による、強い空気の引き込み力が発生出来るロケットストーブが必要である。
【考案の効果】
【０００５】  燃焼条件を定め下記の燃焼テスト結果、良好な燃焼結果が見られた、燃焼テストの材料は、市販されている橡材の薪で１束、直径２０ｃｍ、高さ４０ｃｍを２束ストーブに立てて、入れて燃焼テストをした、各テスト共、２束の燃焼時間は４時間前後あり２００Ｌのドラム缶のストーブでは、８束の薪は、余裕をもって挿入出来るため、夕方５時から朝方８時までの、１５時間の燃焼維持が、期待出来、又密閉された燃焼室内での初期フル燃焼、３０分前後で水蒸気発散、乾燥、薪全体の表面炭化が促進され炭化燃焼用バルブの開き量も、３０％前後で、４時間前後の燃焼が出来、又白煙も燃焼初期の強い排出から、次第に薄くなり、２時間前後からは、白煙も無くなり炭化燃焼による安定した燃焼が出来ている。
初期フル燃焼による炭化後、バルブを絞り燃焼さすことで、長時間の燃焼が、出来る事は確認できたが、最適燃焼条件の確認が必要なため、下記のテストをする。
橡材の燃焼テスト結果、３項目確認
初期燃焼３０分後、バルブの絞り量は４０％開きで、３時間４０分燃焼した
初期燃焼２０分後、バルブの絞り量は３０％開きで、４時間１０分燃焼した
初期燃焼２０分後、バルブの絞り量は２０％開きで、４時間５０分燃焼した
松材の４５ｍｍ角材、燃焼テスト結果、２項目確認
含水率は橡材より高めで、橡材と同程度の容量を燃焼さす
初期燃焼３０分後、バルブの絞り量は３０％開きで、４時間２０分燃焼した
初期燃焼３０分後、炭化状態を確認するも、一部褐色部が有り、更に１０分間の初期燃焼延長で、全面に黒色炭化を確認して、バルブの絞り量、３０％開きで４時間３０分燃焼した、含水率が高いと、初期燃焼時間の延長も必要。
炭化燃焼時の管理点
良好な燃焼は、ロケットストーブの温度が、必ず１次燃焼ストーブより高い事で、両ストーブ周辺の温度差から確認出来、ロケットストーブの温度が低めであれば吸気口のバルブを少し拡大して、空気量を増やし燃焼力を上げる、又白煙の強い排出があると、良好な燃焼であり、更に炭化燃焼バルブから覗いて薪の足元の燃焼からも燃焼状態が確認できる、完全な炭化燃焼に移ると、周辺の温度も１次燃焼ストーブがロケットストーブよりも高めになる。
【図面の簡単な説明】
【０００６】
【図１】  薪ストーブの全体図
【図２】  薪ストーブの断面図
【図３】  １次燃焼ストーブの断面図
【図４】  ロケットストーブ断面図
【考案を実施するための形態】
【０００７】  このストーブは、ロケットストーブと１次燃焼ストーブの結合による新燃焼方式の新ストーブであり、先ず主な構成として１次燃焼室内に、焚口がある事と、底面には灰の取り出し口と、兼用した、炭化燃焼用の吸気口バルブがあり、又ロケットストーブの２次燃焼筒は、ステンレスの排煙筒で、１次燃焼ガス内にある、一部の未燃焼ガスが、高温度の空気と再燃焼し、強力な上昇気流によるドラフト効果で、強い吸い込み力を発生し、１次燃焼室の長時間燃焼に大きな働きがある。
次いで、各部位の役割を説明する
１次燃焼ストーブの底面にある灰の取り出し口と、兼用の炭化燃焼用吸気口バルブ
灰の取り出し口と兼用されている、炭化燃焼用吸気口は薪の水蒸気の発散、乾燥、炭化を目的とした燃焼の空気取り入れ口で、炭化が進むと、このバルブを絞り長時間燃焼に移行させる。
ロケットストーブの２次燃焼筒入り口と、１次燃焼ストーブの結合位置
１次燃焼ストーブの長時間燃焼は、この２次燃焼筒で発生する、強力な上昇気流によるドラフト効果の吸い込み力によるもので、この２次燃焼筒の入り口が、直接に立て詰めした、薪の傍にあり、強い引き込み力で、長時間の燃焼が維持でき、炭化燃焼用の吸気口バルブを絞っても、長時間燃焼が出来るのは、この２次燃焼筒で発生する、強力な上昇気流による、ドラフト効果で、ロケットストーブの役割は大きい。
燃焼手順の説明
先ず、蓋を取り外して，薪を挿入し、ストーブの底面にある、灰の取り出し口と兼用している、炭化燃焼用吸気口バルブを全開にし、新聞紙を丸めて火をつけて、２次燃焼筒入り口、２の焚口に置き、風を送り燃焼炎が吸い込まれたら、更に丸めた新聞紙を上に置き、その上、周囲に乾燥した初期燃焼用の細木を重ねて燃焼させ、更にフル燃焼させるため、少し太めの木片を追加して、蓋を閉める、すると白煙が煙突から強く排出され、約３０分間位すると，薪全体の表面炭化が進み、炭化燃焼用バルブを絞り、長時間燃焼に移行させる、但し含水率の高い薪は、表面炭化が遅れるため、乾燥材の使用と同時に初期燃焼時間の延長も必要。
この新ストーブは、水蒸気の発散、乾燥、炭化の促進と、燃焼炎や、白煙が人体に近付かない様に、ストーブ全体を、密閉構造として作製したもので、この蓋を開ける時は、必ず、炭化燃焼バルブを閉めた後に、開ける事で、燃焼炎の上昇を弱める事が出来、少し離れた位置から開けることで、燃焼炎からの危険を避ける。
【符号の説明】
【０００８】１    １次燃焼ストーブ、１００Ｌ缶で５０Ｌ缶２個結合
２    焚口
３    ２次燃焼筒入り口
４    金網
５    灰の取り出し口と兼用の炭化燃焼用吸気口バルブで、面積は排煙筒と同じ大きさ
６    １次燃焼ストーブの蓋
７    薪
８    内殻鉄板、厚み０．３鉄板使用、断熱及び熱劣化交換品
９    貫抜き
１０  ロケットストーブ、１００Ｌ缶で５０Ｌ缶２個結合
１１  ２次燃焼筒外殻、厚み０．３鉄板使用
１２  断熱材でバーミキュライト使用
１３  ２次燃焼筒、直径１２ｃｍ、ステンレス
１４  蓋裏側鉄板、熱劣化交換品
１５  ロケットストーブの蓋
１６  排煙筒結合部、ステンレス
１７  排煙筒挿入結合
【図１】
0003216246.tif 000003
【図２】
0003216246.tif 000004
【図３】
0003216246.tif 000005
【図４】
0003216246.tif 000006